(57)【特許請求の範囲】
【請求項１】
商品窓を有する表枠体，
上記表枠体の一側に折り線を介してつながっており，上記表枠体の内がわ面と重ね合わされて保持される裏パネル体，および
上記表枠体の商品窓を覆うように上記表枠体の内がわ面と平行に貼られ，かつ上記折り線を跨いで裏パネル体の内がわ面とも平行に貼られる，伸びを生じないフィルムであって，少なくともいずれか一方の側部が上記表枠体の内がわ面および上記裏パネル体の内がわ面の少なくともいずれか一方に接着されているフィルムを備え，
上記フィルムは，上記表枠体の商品窓を覆うフィルム部分と上記裏パネル体との間に挟まれて固定され上記フィルムによって覆われた状態で上記商品窓を通して外方に突出させられる商品の，上記商品窓からの突出量と少なくとも同等の長さを，上記商品窓の上端の上方および下端の下方のそれぞれに持ち，かつ上記商品を挟んだ状態で上記折り線の位置で上記表枠体または裏パネル体が折り返されたときにフィルム同士の重なり合いを生じさせる長さを，上記表枠体と裏パネル体とが連接する方向に持ち，
上記表枠体の上記商品窓の上方および下方において，重ね合わされた表枠体および裏パネル体の内がわで重なり合っているフィルム同士が接着されている，
包装体。
【請求項２】
上記表枠体の上記裏パネル体が連設されている一側と反対側の他側に，上記表枠体の内がわ面と重ね合わされて保持される折り片が折り線を介してつながっており，
上記フィルムの一側部が裏パネル体の内がわ面に，他側部が折り片の内がわ面にそれぞれ接着されている，
請求項１に記載の包装体。
【請求項３】
商品窓を有する表枠体，
上記表枠体の両側に第１，第２の折り線を介してそれぞれつながっており，上記表枠体の内がわ面と重ね合わされて保持される第１，第２の裏パネル体，および
上記表枠体の商品窓を覆うように上記表枠体の内がわ面と平行に貼られ，かつ上記表枠体の両側の第１，第２の折り線を跨いで第１，第２の裏パネル体の内がわ面とも平行に貼られる，伸びを生じないフィルムであって，少なくともいずれか一方の側部が上記第１，第２の上記裏パネル体の内がわ面の少なくともいずれか一方に接着されているフィルムを備え，
上記フィルムは，上記表枠体の商品窓を覆うフィルム部分と上記第１，第２の裏パネル体との間に挟まれて固定され上記フィルムによって覆われた状態で上記商品窓を通して外方に突出させられる商品の，上記商品窓からの突出量と少なくとも同等の長さを，上記商品窓の上端の上方および下端の下方のそれぞれに持ち，かつ上記商品を挟んだ状態で上記第１，第２の折り線の位置で第１，第２の裏パネル体が折り返されたときにフィルム同士の重なり合いを生じさせる長さを，上記表枠体と第１，第２の裏パネル体とが連接する方向に持ち，
上記表枠体の上記商品窓の上方および下方において，重ね合わされた表枠体および第１，第２の裏パネル体の内がわで重なり合っているフィルム同士が接着されている，
包装体。
【請求項４】
上記商品窓の一部が上記裏パネル体にも連続して形成されている，請求項１から３のいずれか一項に記載の包装体。
【請求項５】
上記商品窓の下端が上記表枠体の下端に接して形成されている，請求項１から３のいずれか一項に記載の包装体。
【請求項６】
商品窓を有する表枠体，
上記表枠体の両側に第１，第２の折り線を介してそれぞれつながっており，上記表枠体の内がわ面と重ね合わされて保持される第１，第２の折り片，
上記第１，第２の折り片が連接する方向とは垂直な方向に第３の折り線を介して上記表枠体につながっており，上記表枠体の内がわ面と重ね合わされて保持される裏パネル体，
ならびに
上記表枠体の商品窓を覆うように上記表枠体の内がわ面と平行に貼られ，かつ上記表枠体の両側の第１，第２の折り線を跨いで上記第１，第２の折り片の内がわ面とも平行に貼られる，伸びを生じないフィルムであって，少なくとも一方の側部が上記第１，第２の折り片の内がわ面の少なくとも一方に接着されているフィルムを備え，
上記フィルムは，上記表枠体の商品窓を覆うフィルム部分と上記裏パネル体との間に挟まれて固定され上記フィルムによって覆われた状態で上記商品窓を通して外方に突出させられる商品の，上記商品窓からの突出量と少なくとも同等の長さを，上記商品窓の上端の上方および下端の下方のそれぞれに持ち，かつ上記商品を挟んだ状態で上記第１，第２の折り線の位置で第１，第２の折り片が折り返されたときにフィルム同士の重なり合いを生じさせる長さを，上記表枠体と第１，第２の折り片とが連接する方向に持ち，
上記表枠体の上記商品窓の上方および下方において，重ね合わされた表枠体および裏パネル体の内がわで重なり合っているフィルム同士が接着されている，
包装体。
【請求項７】
第１の商品窓を有する表枠体，
上記表枠体の一側に折り線を介してつながっており，上記表枠体の内がわ面と重ね合わされて保持される，第２の商品窓を有する裏枠体，および
上記表枠体の第１の商品窓および上記裏枠体の第２の商品窓を覆うように，上記折り線を跨いで，上記表枠体の内がわ面および上記裏枠体の内がわ面と平行に貼られる，伸びを生じないフィルムであって，少なくともいずれか一方の側部が上記表枠体の内がわ面および上記裏パネル体の内がわ面の少なくともいずれか一方に接着されているフィルムを備え，
上記フィルムは，上記表枠体の第１の商品窓を覆うフィルム部分と上記裏枠体の第２の商品窓を覆うフィルム部分との間に挟まれて固定され上記フィルムによって覆われた状態で上記第１，第２の商品窓を通して互いに反対方向に突出させられる商品の，上記第１，第２の商品窓からの突出量と少なくとも同等の長さを，上記第１，第２の商品窓の上端の上方および下端の下方のそれぞれに持ち，かつ上記商品を挟んだ状態で上記折り線の位置で表枠体または裏枠体が折り返されたときにフィルム同士の重なり合いを生じさせる長さを，上記表枠体と裏パネル体とが連接する方向に持ち，
上記第１，第２の商品窓の上方および下方において，重ね合わされた表枠体および裏枠体の内がわで重なり合っているフィルム同士が接着されている，
包装体。
【発明の詳細な説明】
【技術分野】
【０００１】
この発明は商品を包装する包装体に関する。
【背景技術】
【０００２】
スーパーマーケット，薬局，コンビニエンスストア，その他の店舗で販売されるリップクリーム，化粧水，スプレー等の比較的小型の商品は台紙および透明プラスチックを用いて包装された形態で流通，販売されることが多い。包装された商品が店舗内において展示ないし陳列され，消費者の手に取られる。
【０００３】
商品の形状および大きさに応じた凹部を持つ透明プラスチック製のブリスター内に商品を入れ，台紙によってブリスターの背面がわの開口を閉じたブリスターパックが知られている。透明なブリスターを通して包装商品がよく見えるので展示効果は高いが，ブリスターを成形する金型の製作が必要であり製造コストは高い。
【０００４】
この問題点を解決するために，伸縮性を持つプラスチック材を用いて商品を包装するものが提案されている。
【先行技術文献】
【特許文献】
【０００５】
【特許文献１】特開２００２−２６８３号公報
【０００６】
この包装容器は，商品の表側を比較的剛性の高い平板状の透明のプラスチック材により覆い，商品の裏側を伸縮性を持つプラスチック材により覆っている。包装商品は包装容器の裏がわに突出する。このため商品の外形は包装容器を裏返して包装容器の裏がわから確認するしかない。また，裏がわに設けられる伸縮性プラスチック材は平面状に張られ，これが商品によって押されることで商品の裏面がわを覆っている。伸縮性プラスチックの伸びの限界を超える厚さを持つ商品を包装するのは困難である。また伸縮性プラスチックは伸びを生じるとその箇所の強度が弱まってしまう。
【発明の開示】
【０００７】
この発明は，包装商品の外形を表がわ（正面がわ）から確認することができるようにすることを目的とする。
【０００８】
この発明は，伸びを生じないフィルムを用いても商品を充分に覆うことができる包装体の提供を目的とする。
【０００９】
第１の発明による包装体は，商品窓を有する表枠体，上記表枠体の一側に折り線を介してつながっており，上記表枠体の内がわ面と重ね合わされて保持される裏パネル体，および上記表枠体の商品窓を覆うように上記表枠体の内がわ面と平行に貼られ，かつ上記折り線を跨いで裏パネル体の内がわ面とも平行に貼られるフィルムであって，少なくともいずれか一方の側部が上記表枠体の内がわ面および上記裏パネル体の内がわ面の少なくともいずれか一方に接着されているフィルムを備える。上記フィルムは，上記表枠体の商品窓を覆うフィルム部分と上記裏パネル体との間に挟まれて固定され上記フィルムによって覆われた状態で上記商品窓を通して外方に突出させられる商品の，上記商品窓からの突出量と少なくとも同等の長さを，上記商品窓の上端の上方および下端の下方のそれぞれに持つ。さらに，上記フィルムは上記商品を挟んだ状態で上記折り線の位置で上記表枠体または裏パネル体が折り返されたときにフィルム同士の重なり合いを生じさせる長さを，上記表枠体と裏パネル体とが連接する方向（左右方向）に持つ。上記表枠体の上記商品窓の上方および下方において，重ね合わされた表枠体および裏パネル体の内がわで重なり合っているフィルム同士が接着されている。
【００１０】
この発明による包装体は，伸びを生じないフィルムを用いるのに適している。すなわち，この発明の包装体に用いられるフィルムは，上記商品窓を通して外方に突出させられる商品の上記商品窓からの突出量と少なくとも同等の長さ（余裕分）を上記商品窓の上端の上方および下端の下方のそれぞれに持つ。さらに，上記商品を挟んだ状態で上記折り線の位置で表枠体または裏パネル体が折り返されたときにフィルム同士の重なり合いを生じさせる長さ（余裕分）を，上記表枠体と裏パネル体とが連接する方向に持つ。このため，伸びを生じないフィルムであっても，商品窓から外方に突出する商品を充分に覆うことができる。伸びを生じることで発生するフィルムの厚さのばらつきが生じないから，フィルムの全体にわたって強度の弱い箇所が発生することもない。伸びを生じないフィルムを用いることで商品の自動包装も行いやすくなる。
【００１１】
フィルムの一側部が表枠体の内がわ面に接着され，かつ他側部が裏パネル体の内がわ面に接着される場合，フィルムの他端部は表枠体と裏パネル体の間の折り線と間隔をあけて上記裏パネル体に接着される。折り線の位置で表枠体または裏パネル体が内がわに折られるとフィルムの他端部（接着位置）が表枠体の商品窓に近づき，フィルムに余裕が生じる。このフィルムに生じる余裕によって商品窓から突出する商品を充分に覆うことができる。
【００１２】
いずれにしても，上記フィルムはその少なくとも一側部が表枠体の内がわ面および裏パネル体の内がわの少なくともいずれかに接着されているから，フィルムが包装体から脱落することはない。また，上記商品を挟んだ状態で上記折り線の位置で折り返されたときにフィルム同士の重なり合いが生じ，商品窓の上方および下方において，重ね合わされた表枠体および裏パネル体の内がわで重なり合っているフィルム同士が接着されるから，フィルムによって覆われている商品が商品窓の上方または下方からフィルムの外に脱落してしまうこともない。重ね合わされたフィルム同士が接着されることで，表枠体および裏パネル体の内がわでフィルム同士の位置ずれが生じることもない。フィルム同士の接着には典型的には溶着（熱溶着，超音波溶着）を用いることができる。フィルム同士を溶着する熱，超音波等は，商品を挟んで重なり合っている表枠体および裏パネル体の外がわから加えられる。
【００１３】
上記フィルムはたとえば熱を加えることにより縮む性質を持つもの（いわゆるシュリンク・フィルム）であってもよく，この場合包装された商品をフィルムによって圧迫した状態で固定することができる。さらに上記フィルムには透明または半透明のものを用いるとよい。透明または半透明のフィルムを用いることによって商品に印刷された商品名等をフィルムを通して確認することできる。いずれにしてもフィルムによって覆われた商品は表枠体の商品窓から外方に突出するから，商品の外形を表がわから確認することができる。表枠体の商品窓は，包装される商品の外形および大きさに応じた形状および大きさとすればよい。
【００１４】
上記フィルムの一側部ないし両側部と表枠体ないし裏パネル体の内がわ面との接着には，典型的には接着剤が用いられるが，接着のための固定具（テープ，ステープラーなど）を用いてもよい。また，上記フィルムが接着されるべき表枠体ないし裏パネル体の箇所に熱可塑性樹脂等をあらかじめ設けておき，溶着（熱溶着，超音波溶着など）により上記フィルムの少なくとも一方の側部を表枠体ないし裏パネル体に接着してもよい。さらにフィルム同士が接着される商品窓の上方および下方に対応する表枠体および裏パネル体の箇所の内がわ面にも熱可塑性樹脂等を設けておいてもよい。重ね合わされた表枠体および裏パネル体の内がわで重なり合っているフィルム同士を溶着によって互いに接着すると，それと同時に，フィルムと表枠体，およびフィルムと裏パネル体を接着することができる。
【００１５】
上記表枠体の上記裏パネル体が連設されている一側と反対側の他側に，上記表枠体の内がわ面と重ね合わされて保持される折り片を折り線を介してつなげて設け，上記フィルムの一側部を裏パネル体の内がわ面に，他側部を折り片の内がわ面にそれぞれ接着してもよい。
【００１６】
一実施態様において，上記商品窓の一部が上記裏パネル体にも連続して形成されている。すなわち，表枠体と裏パネル体の間の折り線を跨いで商品窓が形成されている。この場合，フィルムによって覆われた商品は包装体の側辺（すなわち，折り線が位置する辺）においてフィルムによって覆われて保持され，商品の一部がフィルムによって覆われた状態で表枠体がわに突出するとともに，裏パネル体がわにもフィルムによって覆われた状態で突出する。斬新な形態により商品を包装することができる。
【００１７】
他の実施態様において，上記商品窓の下端が上記表枠体の下端に接して形成されている。フィルムによって覆われた状態で商品窓から外方に突出する商品の底部を利用して，包装体を自立させることができる。
【００１８】
第２の発明による包装体は，商品窓を有する表枠体，上記表枠体の両側に第１，第２の折り線を介してそれぞれつながっており，上記表枠体の内がわ面と重ね合わされて保持される第１，第２の裏パネル体，および上記表枠体の商品窓を覆うように上記表枠体の内がわ面と平行に貼られ，かつ上記表枠体の両側の第１，第２の折り線を跨いで第１，第２の裏パネル体の内がわ面とも平行に貼られるフィルムであって，少なくともいずれか一方の側部が上記第１，第２の上記裏パネル体の内がわ面の少なくともいずれか一方に接着されているフィルムを備え，上記フィルムは，上記表枠体の商品窓を覆うフィルム部分と上記第１，第２の裏パネル体との間に挟まれて固定され上記フィルムによって覆われた状態で上記商品窓を通して外方に突出させられる商品の，上記商品窓からの突出量と少なくとも同等の長さを，上記商品窓の上端の上方および下端の下方のそれぞれに持ち，かつ上記商品を挟んだ状態で上記第１，第２の折り線の位置で第１，第２の裏パネル体が折り返されたときにフィルム同士の重なり合いを生じさせる長さを，上記表枠体と第１，第２の裏パネル体とが連接する方向に持ち，上記表枠体の上記商品窓の上方および下方において，重ね合わされた表枠体および第１，第２の裏パネル体の内がわで重なり合っているフィルム同士が接着されている。
【００１９】
第２の発明の包装体も，第１の発明の包装体と同様に，伸びを生じないフィルムを用いるのに適している。上記商品窓を通して外方に突出させられる商品の上記商品窓からの突出量と少なくとも同等の長さ（余裕分）を上記商品窓の上端の上方および下端の下方のそれぞれに持ち，さらに，上記商品を挟んだ状態で上記折り線の位置で折り返されたときにフィルム同士の重なり合いを生じさせる長さ（余裕分）を，上記表枠体と裏パネル体とが連接する方向（左右方向）に持つからである。伸びを生じないフィルムであっても，商品窓から外方に突出する商品を充分に覆うことができる。伸びを生じることで発生するフィルムの厚さのばらつきが生じないから，フィルムの全体にわたって強度の弱い箇所が発生することもない。商品の自動包装も行いやすい。
【００２０】
フィルムの一側部が第１の裏パネル体の内がわ面に接着され，かつ他側部が第２の裏パネル体の内がわ面に接着される場合，フィルムの一端部は表枠体と第１の裏パネル体の間の第１の折り線と間隔をあけて上記第１の裏パネル体に接着され，かつフィルムの他端部は表枠体と第２の裏パネル体の間の第２の折り線と間隔をあけて上記第２の裏パネル体に接着される。第１，第２の折り線の位置で第１，第２の裏パネル体が内がわに折られるとフィルムの一端部および他端部（接着位置）が表枠体の商品窓に近づき，フィルムに余裕が生じる。フィルムに生じる余裕によって商品窓から突出する商品を充分に覆うことができる。
【００２１】
第３の発明による包装体は，商品窓を有する表枠体，上記表枠体の両側に第１，第２の折り線を介してそれぞれつながっており，上記表枠体の内がわ面と重ね合わされて保持される第１，第２の折り片，上記第１，第２の折り片が連接する方向とは垂直な方向に第３の折り線を介して上記表枠体につながっており，上記表枠体の内がわ面と重ね合わされて保持される裏パネル体，ならびに上記表枠体の商品窓を覆うように上記表枠体の内がわ面と平行に貼られ，かつ上記表枠体の両側の第１，第２の折り線を跨いで上記折り片の内がわ面とも平行に貼られるフィルムであって，少なくとも一方の側部が上記第１，第２の折り片の少なくとも一方に接着されているフィルムを備え，上記フィルムは，上記表枠体の商品窓を覆うフィルム部分と上記裏パネル体との間に挟まれて固定され上記フィルムによって覆われた状態で上記商品窓を通して外方に突出させられる商品の，上記商品窓からの突出量と少なくとも同等の長さ（余裕分）を，上記商品窓の上端の上方および下端の下方のそれぞれに持ち，かつ上記商品を挟んだ状態で上記第１，第２の折り線の位置で第１，第２の折り片が折り返されたときにフィルム同士の重なり合いを生じさせる長さ（余裕分）を，上記表枠体と第１，第２の折り片とが連接する方向に持ち，上記表枠体の上記商品窓の上方および下方において，重ね合わされた表枠体および裏パネル体の内がわで重なり合っているフィルム同士が接着されている。折り片を用いてフィルムと表枠体との接着を実現する態様である。
【００２２】
第４の発明による包装体は，第１の商品窓を有する表枠体，上記表枠体の一側に折り線を介してつながっており，上記表枠体と重ね合わされて保持される，第２の商品窓を有する裏枠体，および上記表枠体の第１の商品窓および上記裏枠体の第２の商品窓を覆うように，上記折り線を跨いで，上記表枠体の内がわ面および上記裏枠体の内がわ面と平行に貼られるフィルムであって，少なくともいずれか一方の側部が上記表枠体の内がわ面および上記裏パネル体の内がわ面の少なくともいずれか一方に接着されているフィルムを備え，上記フィルムは，上記表枠体の第１の商品窓を覆うフィルム部分と上記裏枠体の第２の商品窓を覆うフィルム部分との間に挟まれて固定され上記フィルムによって覆われた状態で上記第１，第２の商品窓を通して互いに反対方向に突出させられる商品の，上記第１，第２の商品窓からの突出量と少なくとも同等の長さ（余裕分）を，上記第１，第２の商品窓の上端の上方および下端の下方のそれぞれに持ち，かつ上記商品を挟んだ状態で上記折り線の位置で折り返されたときにフィルム同士の重なり合いを生じさせる長さ（余裕分）を，上記表枠体と裏パネル体とが連接する方向に持ち，上記第１，第２の商品窓の上方および下方において，重ね合わされた表枠体および裏枠体の内がわで重なり合っているフィルム同士が接着されている。
【００２３】
第４の発明による包装体では，フィルムによって覆われた商品が表枠体の商品窓および裏枠体の商品窓の両方から表がわおよび裏がわにそれぞれ突出する。商品の外形を表裏の両面がわから確認することができる。
【００２４】
第１から第４の発明による包装体において，上記フィルムは上記表枠体の内がわ面および裏パネル体または裏枠体の内がわ面において平行に貼られるので，自動窓貼り機による接着に適している。
【図面の簡単な説明】
【００２５】
【図１】第１実施例の包装体の斜視図である。
【図２】図１のII−II線に沿う断面図である。
【図３】図１のIII−III線に沿う断面図である。
【図４】第１実施例の包装体の展開図である。
【図５】図４のV−V線に沿う断面図である。
【図６】表枠体を折り返す途中の断面図である。
【図７】第２実施例の包装体の展開図である。
【図８】第３実施例の包装体の展開図である。
【図９】図８のIX−IX線に沿う断面図である。
【図１０】第３実施例の包装体の断面図である。
【図１１】第４実施例の包装体の展開図である。
【図１２】第４実施例の包装体の斜視図である。
【図１３】第５実施例の包装体の展開図である。
【図１４】第５実施例の包装体の斜視図である。
【図１５】第６実施例の包装体の展開図である。
【図１６】第６実施例の包装体の斜視図である。
【図１７】第７実施例の包装体の展開図である。
【図１８】第７実施例の包装体の斜視図である。
【図１９】第８実施例の包装体の展開図である。
【図２０】第８実施例の包装体の斜視図である。
【図２１】第９実施例の包装体の展開図である。
【図２２】第９実施例の包装体の斜視図である。
【図２３】第１０実施例の包装体の展開図である。
【図２４】第１０実施例の包装体の斜視図である。
【図２５】図２４のXXV−XXV線に沿う断面図である。
【図２６】図２４のXXVI−XXVI線に沿う断面図である。
【図２７】第１１実施例の包装体の展開図である。
【図２８】第１１実施例の包装体の斜視図である。
【図２９】第１２実施例の包装体の展開図である。
【図３０】第１３実施例の包装体の展開図である。
【図３１】第１３実施例の包装体の斜視図である。
【実施例】
【００２６】
（第１実施例）
図１は第１実施例の商品のディスプレイ用の包装体１Ａを，商品５Ａを包装している状態で示す斜視図である。図２は図１のII−II線に沿う断面図である。図３は図１のIII−III線に沿う断面図である。
【００２７】
包装体１Ａは，矩形の表枠体２と，矩形の裏パネル体（台紙）３と，これらの表枠体２および裏パネル体３の間に位置するフィルム４とを備える。表枠体２および裏パネル体３は一枚の厚紙によりつくられる。厚紙に代えて，ボール紙，プラスチック・シート，これらの複合材を用いてもよい。フィルム４は透明または半透明の薄いプラスチック製のフィルムであり，好ましくは伸びを生じないまたは生じにくい，すなわち引張伸度が小さいフィルムが用いられる。後述するように，フィルム４は表枠体２の内がわとなる面に設けられる糊部ｎによってその一側部が接着されている。フィルム４には，たとえばポリ塩化ビニリデンフィルムを用いることができる。
【００２８】
表枠体２に矩形の商品窓２Ａが形成されている。商品窓２Ａは包装体１Ａによって包装される商品５Ａの正面がわの形状に応じた好ましくは合致した形状を持ち，その大きさも包装される商品５Ａの大きさに応じたもの，好ましくは合致したものまたはやや大きいものとされる。いずれにしても商品窓２Ａは，包装される商品５Ａがその正面がわから通る形状および大きさを持つ。
【００２９】
上述したように表枠体２と裏パネル体３とは一枚の厚紙によってつくられており，表枠体２と裏パネル体３とは折り線Ｌを介してつながっている。折り線Ｌの位置で一枚の厚紙を折ることで，表枠体２と裏パネル体３とが重ね合わされる。折り線Ｌの位置で厚紙を折りやすくするために，折り線Ｌにはあらかじめ折り罫（浅い線状の凹み）を付与しておいてもよいし，または浅い切込みをあらかじめ形成しておいてもよい。
【００３０】
表枠体２の商品窓２Ａの上方の枠部および裏パネル体３の上方に，円形のフック孔２Ｂ，３Ｂがそれぞれあけられている。折り線Ｌの位置で厚紙が折られるとこれらのフック孔２Ｂ，３Ｂが重なり合う。包装体１Ａによって包装された商品５Ａはこれらのフック孔２Ｂ，３Ｂを用いてフックに掛けられて，店舗等において陳列される。
【００３１】
後述するように，表枠体２の内がわとなる面に設けられたフィルム４は，表枠体２にあけられた商品窓２Ａの全体を覆っている。表枠体２の内がわとなる面において商品５Ａをフィルム４により覆われた商品窓２Ａに対応する位置に位置決めし，折り線Ｌの位置で表枠体２または裏パネル体３を内がわに折り返して重ね合わせる。このとき，表枠体２および裏パネル体３の内がわ面に貼られたフィルム４も折り返される。フィルム４と裏パネル体３とにより商品５Ａはその前後（表裏）から挟まれる。重なり合った表枠体２と裏パネル体３とは裏パネル体３の側部に設けられた糊部Ｎによって接着され，重なり合った状態が保持される。また，商品窓２Ａの上方および下方において，フィルム４同士の重なり合う部分が溶着によって互いに接着される（図３においてフィルム４同士の溶着が黒丸により示されている）。裏パネル体３は裏がわ（背面がわ）にわずかに湾曲することもある（図２，図３参照）。商品５Ａの背面が裏パネル体３によって支えられる。他方，表がわ（正面がわ）では表枠体２を越えて商品５Ａが商品窓２Ａから外方に突出する。フィルム４は商品５Ａによって商品窓２Ａから突出する向きに押されて商品５Ａに密着する。フィルム４は透明ないし半透明であるから，フィルム４を通して商品５Ａに印字された文字および図形，商品５Ａの色などが確認される。またフィルム４に覆われた商品５Ａが商品窓２Ａから突出するので，商品５Ａの外形も表がわから確認される。
【００３２】
図４は展開状態の包装体１Ａの内がわとなる面を見たものである。図４において商品５Ａの図示は省略されている。図５は図４のＶ−Ｖ線に沿う断面図である。図６は商品５Ａの包装途中（組立て途中）の包装体１Ａの断面図である。
【００３３】
図４および図５を参照して，上述したように，商品窓２Ａがあけられた表枠体２と裏パネル体３とは折り線Ｌを介してつながっている。商品窓２Ａを覆うフィルム４は，その一側が，表枠体２に設けられた糊部ｎによって表枠体２の内がわとなる面に接着されている。
【００３４】
フィルム４は表枠体２の商品窓２Ａを覆うのみならず，商品窓２Ａの周囲の表枠体２の枠部の一部も覆う大きさを持つ。商品窓２Ａから外方に突出する商品５Ａの上面および底面を確実に覆うために，フィルム４は，商品窓２Ａの上端の上方および下端の下方のそれぞれに，上記商品窓２Ａから突出する商品５Ａの突出量と少なくとも同等の長さの余裕分を持つ。また，フィルム４は折り線Ｌを跨いで裏パネル体３の内がわとなる面上にも延在する。このフィルム４の左右方向には，上記商品５Ａを挟んだ状態で上記表枠体２または裏パネル体３を折り線Ｌの位置で折り返したとき（フィルム４によって覆われた状態の商品５Ａを商品窓２Ａから外方に突出させたとき）に，フィルム４同士の重なり合いを生じさせる長さがある。
【００３５】
フィルム４の貼付け（糊付け）は自動窓貼り機を用いることで行うことができる。表枠体２と裏パネル体３とが面一状態（展開状態）で自動窓貼り機に与えられ，表枠体２の内がわとなる面に上述の糊部ｎが線状に塗布される。表枠体２の内がわ面および裏パネル体の内がわ面と平行にされたフィルム４が，商品窓２Ａを覆うようにして表枠体２の内がわとなる面および裏パネル体３の内がわとなる面に被せられ，糊部ｎの位置が押されることでフィルム４が密着し，フィルム４の貼付けが完了する。
【００３６】
上述のように，フィルム４はその一側が表枠体２に糊部ｎによって接着されており，フィルム４の他側がわは接着されていない。このため，図６を参照して，商品５Ａを商品窓２Ａから外方に突出させると，上記フィルム４の他側がわ（糊部ｎによって接着されていないがわ）が商品窓２Ａの向きに移動し，商品窓２Ａに押し込まれる。もちろん，商品窓２Ａの上がわおよび下がわにおいても，フィルム４は商品窓２Ａに押し込まれる。
【００３７】
表枠体２または裏パネル体３を完全に折り返した後，表枠体２と裏パネル体３とが糊部Ｎによって接着されて固定される。上述したように，フィルム４は，表枠体２と裏パネル体３とを重ね合わせて商品５Ａを商品窓２Ａから外方に突出させたときに，フィルム４同士の重なり合いを生じさせる長さを左右方向（上記表枠体２と裏パネル体３とが連接する方向）に持つので，表枠体２または裏パネル体３が完全に折り返された状態において，フィルム４同士が二重に重なり合う（図３参照）。商品窓２Ａの上方および下方において，表枠体２および裏パネル体３の外がわからたとえば熱を加えることで，商品窓２Ａの上方および下方において重なり合っているフィルム４同士が溶着される。包装体１Ａによる商品５Ａの包装が完成する。
【００３８】
第１実施例の包装体１Ａに用いられるフィルム４は，上述したように，伸びを生じない（引張伸度が小さい）ものである。さらにフィルム４は，上述したように，上記商品窓２Ａを通して外方に突出させられる商品５Ａの上記商品窓２Ａからの突出量と少なくとも同等の余裕分の長さを上記商品窓２Ａの上端の上方および下端の下方のそれぞれに持ち，さらに，上記商品５Ａを挟んだ状態で上記折り線Ｌの位置で表枠体２または裏パネル体３が折り返されたときにフィルム４同士の重なり合いを生じさせる余裕分の長さを上記表枠体２と裏パネル体３とが連接する方向に持つ。このため，伸びを生じないフィルム４であっても商品窓２Ａから外方に突出する商品５Ａの全体を充分に覆うことができる。伸びを生じることで発生するフィルムの厚さのばらつきが生じないから，フィルム４の全体にわたって強度の弱い箇所が発生することがない。伸びを生じないフィルム４を用いることで商品の自動包装も行いやすくなる。上記フィルム４はその少なくとも一側部が表枠体２の内がわ面に接着されているから，フィルム４が包装体１Ａから脱落することはない。また，上記商品５Ａを挟んだ状態で上記折り線の位置で折り返されたときにフィルム４同士の重なり合いが生じ，商品窓２Ａの上方および下方において，重ね合わされた表枠体２および裏パネル体３の内がわで重なり合っているフィルム４同士が接着されるから，フィルム４によって覆われている商品５Ａが商品窓２Ａの上方または下方からフィルム４の外に脱落してしまうこともない。フィルム同士４が接着されるから，表枠体２および裏パネル体３の内がわでフィルム４同士の位置ずれが生じることもない。
【００３９】
表枠体２の内がわとなる面および裏パネル体３の内がわとなる面に熱可塑性樹脂等をあらかじめ設けておいてもよい。この場合，商品窓２Ａの上方および下方においてフィルム４同士を溶着（たとえば，熱溶着，超音波溶着など）するときに，同時に，フィルム４と表枠体２，およびフィルム４と裏パネル体３も互いに接着することができる。さらに強固に商品５Ａを包装体１Ａに固定することができる。
【００４０】
フィルム４は，たとえば熱を加えることで収縮する性質を持つもの（いわゆるシュリンク・フィルム）であってもよい。商品５Ａの形状（外形）に沿ってフィルム４が商品５Ａに密着し商品５Ａを圧迫するので，商品５Ａを包装体１Ａに強固に固定することができ，フィルム４を通した商品５Ａの視認性も向上させることができる。
【００４１】
（第２実施例）
図７は第２実施例の包装体１Ｂを示すもので，展開状態の包装体１Ｂの内がわを見たものである。第１実施例の包装体１Ａ（図４参照）とは，フィルム４の一側部が，表枠体２ではなく裏パネル体３の内がわとなる面に糊部ｎによって接着されている点が異なる。
【００４２】
第２実施例の包装体１Ｂも，第１実施例の包装体１Ａと同様，包装される商品を商品窓２Ａから外方に突出させると，上記フィルム４の他側がわ（第２実施例では表枠体２上に広がるフィルム４がわ）および上下がわが商品窓２Ａに移動して押し込まれる。表枠体２または裏パネル体３が完全に折り返された状態において，上記商品窓２Ａの上方および下方でフィルム４同士が重なり合い，重なり合っているフィルム４同士が溶着される。表枠体２と裏パネル体３とは糊部Ｎによって接着され，重ね合わされた状態が保持される。
【００４３】
（第３実施例）
図８は第３実施例の包装体１Ｃを示すもので，展開状態の包装体１Ｃの内がわを見たものである。第１実施例の包装体１Ａとは，フィルム４の一側部が表枠体２の枠部に糊部ｎ１によって接着されているのに加えて，フィルム４の他側部もさらに裏パネル体３に糊部ｎ２によって接着されている点が異なる。図９は図８のIX−IX線に沿う断面図である。図１０は，図２に対応する，商品５Ａを包装した状態の包装体１Ｃの断面図である。
【００４４】
図８および図９を参照して，上述したように，フィルム４はその両側部が表枠体２および裏パネル体３の内がわとなる面に糊部ｎ１，ｎ２によってそれぞれ接着されており，両側部以外の箇所でフィルム４は接着されていない。背面パネル３上の糊部ｎ２は，正面枠２と背面パネル３との間の折り線Ｌからａだけ間隔をあけて設けられている。表枠体２の商品窓２Ａも折り線Ｌから間隔をあけて形成されている。図１０を参照して，正面枠２または背面パネル３が折り線Ｌの位置で内がわに折返されると，この間隔ａの存在によってフィルム４の一端（糊部ｎ２）（接着位置）が商品窓２Ａに近づく。すなわち，商品５Ａを挟んだ状態で表枠体２または裏パネル体３を折り線Ｌの位置で内がわに折返し，商品５Ａを商品窓２Ａから外方に突出させると，フィルム４の折り返し部分が商品窓２Ａの向きに移動して，これにより商品窓２Ａから突出する商品５Ａを覆う余裕がフィルム４につくられる。余裕がつくられたフィルム４によって商品窓２Ａから突出する商品部分を覆うことができる。
【００４５】
第３実施例においても，表枠体２と裏パネル体３が重ね合わされた状態において折り返されたフィルム４同士の重なり合いが生じる。重なり合っているフィルム４同士が上記商品窓２Ａの上方および下方において溶着される。
【００４６】
（第４実施例）
図１１は第４実施例の包装体１Ｄを示すもので，展開状態の包装体１Ｄの内がわを見たものである。図１２は包装体１Ｄを，商品５Ａを包装している状態で示す斜視図である。
【００４７】
図１１を参照して，第１実施例の包装体１Ａ（図４参照）とは，表枠体２の一側に折り線Ｌ２を介して糊代片６が連設されている点，裏パネル体３上に糊部Ｎは設けられていず，これに代えて糊代片６に糊部Ｎが設けられている点が異なる。表枠体２，裏パネル体３および糊代片６も１枚の厚紙からつくられている。
【００４８】
図１２を参照して，表枠体２または裏パネル体３を折り線Ｌ１の位置で内がわに折り返し，さらに表枠体２につながる糊代片６を折り線Ｌ２の位置で折り返して糊部Ｎにより裏パネル体３に接着することで，上下がやや開口した筒状の包装体１Ｄがつくられる。
【００４９】
包装体１Ｄはその上下がやや開口しているので，上部開口または下部開口から商品窓２Ａの位置に商品５Ａを入れることができる。上下が開口している包装体１Ｄを作り貯めしておくと，商品５Ａの充填作業を分業することができる。商品５Ａを充填した後に，商品窓２Ａの上方および下方において重なり合ったフィルム４同士を溶着するのは上述と同様である。もちろん，包装体１Ｄにおいても，商品窓２Ａの位置に商品５Ａを配置し，その後に包装体１Ｄの組み立て（表枠体２または裏パネル体３の折返し，糊代片６の折返し，糊代片６と裏パネル体３との接着など）を行ってもよい。
【００５０】
（第５実施例）
図１３は第５実施例の包装体１Ｅを示すもので，展開状態の包装体１Ｅの内がわを見たものである。図１４は包装体１Ｅを，商品５Ａを包装している状態で示す斜視図である。
【００５１】
矩形の表枠体２の両側に２つの矩形の裏パネル体３，７（以下，第１裏パネル体３，第２裏パネル体７と呼ぶ）が，互いに反対方向に折り線Ｌ１，Ｌ２を介してそれぞれつながっている。表枠体２，裏パネル体３，７も一枚の厚紙からつくられている。表枠体２，裏パネル体３，７のそれぞれの上部にフック孔２Ｂ，３Ｂ，７Ｂがあけられている。
【００５２】
第１，第２裏パネル体３，７上に，折り線Ｌ１，Ｌ２から間隔ａ１，ａ２をあけて糊部ｎ１，ｎ２がそれぞれ設けられている。商品窓２Ａを覆うフィルム４は第１裏パネル体３，表枠体２および第２裏パネル体７にわたる広がりを持ち，フィルム４の両側部が糊部ｎ１，ｎ２によって第１，第２裏パネル体３，７の内がわとなる面にそれぞれ接着されている。
【００５３】
第１裏パネル体３上の糊部ｎ１は，表枠体２と第１裏パネル体３との間の折り線Ｌ１からａ１だけ間隔をあけて設けられている。このため，第１裏パネル体３が折り線Ｌ１の位置で内がわに折り返されると，間隔ａ１の存在によってフィルム４の一端（接着位置：糊部ｎ１）が商品窓２Ａに近づき，商品窓２Ａから突出する商品５Ａを覆う余裕がフィルム４につくられる。第２裏パネル体７についても，第２裏パネル体４上の糊部ｎ２が，表枠体２と第２裏パネル体７との間の折り線Ｌ２からａ２だけ間隔をあけて設けられている。第２裏パネル体７が折り線Ｌ２の位置で内がわに折り返されると，間隔ａ２の存在によってフィルム４の他端（接着位置：糊部ｎ２）が商品窓２Ａに近づき，商品窓２Ａから突出する商品５Ａを覆う余裕がフィルム４につくられる。余裕がつくられたフィルム４によって商品窓２Ａから突出する商品部分を覆うことができる。
【００５４】
第２裏パネル体７の側部に糊部Ｎが設けられており，この糊部Ｎによって折返された第１裏パネル体３の外がわの面と第２裏パネル体７の内がわの面とが接着され，折り返しの状態が維持される。商品窓２Ａの上方および下方において重なり合っているフィルム４同士を溶着することで，包装体１Ｅによる商品５Ａの包装が完成する。
【００５５】
（第６実施例）
図１５は第６実施例の包装体１Ｆを示すもので，展開状態の包装体１Ｆの内がわを見たものである。図１６は包装体１Ｆを，商品５Ａを包装している状態で示す斜視図である。
【００５６】
包装体１Ｆは，商品窓20が，表枠体２のみならず裏パネル体３にも連続して形成されている点が，上述した第１から第５実施例と異なる。図１５を参照して，商品窓20を覆うフィルム４は，その一側が表枠体２の枠部に設けられた糊部ｎにより表枠体２の内がわとなる面に接着されている。
【００５７】
商品窓20の位置に商品５Ａを配置し，表枠体２または裏パネル体３を折り線Ｌの位置で内がわに折り返し，糊部Ｎによって接着して固定する。商品窓２Ａの上方および下方において重なり合っているフィルム４同士を溶着する。図１６を参照して，フィルム４によって覆われた商品５Ａは，包装体１Ｆの一側（折り線Ｌに沿う辺）に沿い，かつ正面がわと背面がわとにそれぞれ突出した状態で保持される。斬新な形態で商品を包装する包装体が提供される。
【００５８】
（第７実施例）
図１７は第７実施例の包装体１Ｇを示すもので，展開状態の包装体１Ｇの内がわを見たものである。図１８は包装体１Ｇを，商品５Ｂを包装している状態で示す斜視図である。
【００５９】
包装体１Ｇは，商品窓２Ａがあけられた矩形の表枠体２と，表枠体２の下端に折り線Ｌ４を介してつながる矩形の裏パネル体３と，表枠体２の両がわに折り線Ｌ１，Ｌ２を介してそれぞれつながる，互いに反対方向にのびる折り片８，９と，表枠体２の上端に折り線Ｌ３を介してつながる上部折り片10を備えている。表枠体２の商品窓２Ａの上方の枠部，裏パネル体３の下部，および上部折り片10にフック孔２Ｂ，３Ｂ，10Ｂがあけられている。表枠体２の両側につながる折り片８，９上に糊部ｎ１，ｎ２が設けられており，商品窓２Ａを覆うフィルム４は，その両側部が折り片８，９に糊部ｎ１，ｎ２によって接着されている。
【００６０】
表枠体２の両がわにつながる折り片８，９上に設けられた糊部ｎ１，ｎ２と折り線Ｌ１，Ｌ２との間にもそれぞれ間隔があいているので，折り片８，９を折り線Ｌ１，Ｌ２に沿って内がわに折り返すと，商品窓２Ａから突出する商品５Ｂを覆う余裕がフィルム４につくられる。表枠体２と裏パネル体３の間の折り線Ｌ４に沿って裏パネル体３を内がわに折返すことで，表枠体２と裏パネル体３とが商品５Ｂを挟んだ状態で重ね合わされる。また，表枠体２の上端につながる上部折り片10が折り線Ｌ３の位置で裏パネル体３がわに折り返される。折り返された折り片８，９と裏パネル体３，折り返された上部折り片10と裏パネル体３とは糊等の接着剤（図１７において図示略）によって接着され，これにより表枠体２と裏パネル体３とが重ね合わされた状態に保持され，かつ折り片８，９の折り返しの状態も維持される。最後に，商品窓２Ａの上方および下方において重なり合っているフィルム４同士が溶着され，包装体１Ｇによる商品５Ｂの包装が完成する。完成した包装体１Ｇにおいて，表枠体２にあけられたフック孔２Ｂ，裏パネル体３にあけられたフック孔３Ｂ，および上部折り片10にあけられたフック孔10Ｂが重なり合う。
【００６１】
（第８実施例）
図１９は第８実施例の包装体１Ｈを示すもので，展開状態の包装体１Ｈを内がわからみたものである。図２０は包装体１Ｈを，商品５Ｃを包装している状態で示す斜視図である。
【００６２】
包装体１Ｈは，矩形の表枠体２，表枠体２の一側に折り線Ｌ１を介してつながる矩形の裏パネル体３，表枠体２の他側に折り線Ｌ２を介してつながる折り片６，表枠体２の下端に折り線Ｌ３を介してつながる折り片11を備えている。表枠体２にあけられた矩形の商品窓２Ａは，その下端（下辺）が表枠体２と折り片11の間の折り線Ｌ３と接している。表枠体２の一側につながる裏パネル体３と，表枠体２の他側につながる折り片６とに糊部ｎ１，ｎ２がそれぞれ設けられており，表枠体２にあけられた商品窓２Ａを覆うフィルム４の両側部が，これらの糊部ｎ１，ｎ２によって裏パネル体３と折り片６に接着されている。糊部ｎ１と折り線Ｌ１との間，および糊部ｎ２と折り線Ｌ２との間に間隔があるので，裏パネル体３が折り線Ｌ１の位置で内がわに折り返され，折り片６が折り線Ｌ２の位置で内がわに折り返されると，フィルム４の両端部がいずれも商品窓２Ａに近づき，商品窓２Ａから突出する商品５Ｃを覆う余裕がフィルム４につくられる。折り片６に設けられた糊部Ｎによって折り片６と裏パネル体３とが接着されて固定される。商品窓２Ａの上方および下方において重なり合っているフィルム４同士が溶着される。
【００６３】
図２０を参照して，表枠体２の下端につながる折り片11は背面がわに折り返され，裏パネル体３に接着される。上述したように，表枠体２にあけられた商品窓２Ａは，その下端が表枠体２と折り片11の間の折り線Ｌ３と接しており，商品窓２Ａの下端が表枠体２の下端に位置している。このため，商品窓２Ａから突出した状態で固定される商品５Ｃの底面によって包装体１Ｈを支える（自立させる）ことができる。
【００６４】
（第９実施例）
図２１は第９実施例の包装体１Ｉを示すもので，展開状態の包装体１Ｉを内がわからみたものである。図２２は包装体１Ｉを，商品５Ｂを包装している状態で示す斜視図である。
【００６５】
図２２を参照して，第９実施例の包装体１Ｉも，第８実施例の包装体ＩＨと同様に，商品窓２Ａの下端が表枠体２の下端に位置しているので，商品窓２Ａから外方に突出した状態で固定される商品５Ｂの底面によって包装体１Ｉが支えられて自立する。
【００６６】
（第１０実施例）
図２３は第１０実施例の包装体１Ｊを示すもので，展開状態の包装体１Ｊを内がわから見たものである。図２４は包装体１Ｊを，商品５Ａを包装している状態で示す斜視図である。図２５は図２４のXXV−XXV線に沿う断面図，図２６は図２４のXXVI−XXVI線に沿う断面図である。
【００６７】
第１０実施例の包装体１Ｊは，これまで説明した第１〜第９実施例の包装体と異なり，表枠体２に商品窓２Ａが形成されているのみならず，裏パネル体３にも別個独立の商品窓３Ａが形成されており（この意味で，第１０実施例においては「裏パネル体」を「裏枠体」と言ってもよい），包装される商品をその表裏（正面がわおよび背面がわ）の両面からフィルム４により挟み，商品窓２Ａ，３Ａから反対方向にそれぞれ突出させた状態で保持するものである。
【００６８】
図２３を参照して，表枠体２に矩形の商品窓２Ａがあけられており，かつ裏パネル体３にも矩形の商品窓３Ａがあけられている。表枠体２および裏パネル体３の内がわとなる面に，商品窓２Ａおよび商品窓３Ａの両方を覆う大きさをもつ一枚のフィルム４が貼られている。フィルム４は表枠体２および裏パネル体３にそれぞれ設けられる糊部ｎ１，ｎ２によってその両側部が表枠体２および裏パネル体３の内がわとなる面に接着されている。
【００６９】
表枠体２にあけられた商品窓２Ａおよび裏パネル体３にあけられた商品窓３Ａは，折り線Ｌの位置で表枠体２または裏パネル体３を折り返したときに重なり合う位置に形成されている。商品５Ａを商品窓２Ａまたは商品窓３Ａに対応する位置に位置決めし，折り線Ｌの位置で表枠体２または裏パネル体３を内がわに折り返し，裏パネル体３の側部に設けられた糊部Ｎによって表枠体２と裏パネル体３とを接着する。表枠体２または裏パネル体３を折り線Ｌの位置で折り返すことで，フィルム４も表枠体２および裏パネル体３の内がわにおいて折られ，互いに重なり合う。商品窓２Ａ，３Ａの上方および下方において重なり合っているフィルム４同士が溶着される（図２６においてフィルム４同士の溶着を黒丸で示す）。包装体１Ｊによる商品５Ａの包装が完成する。
【００７０】
商品５Ａは，表がわ（正面がわ）ではフィルム４によって覆われた状態で表枠体２を越えて商品窓２Ａから外方（表がわ）に突出し，裏がわ（背面がわ）においてもフィルム４によって覆われた状態で裏パネル体（裏枠体）３を越えて商品窓３Ａから外方（裏がわ）に突出する。フィルム４は透明ないし半透明であるから，フィルム４を通して商品５Ａに印字された文字および図形，商品５Ａの色などが表裏の両面から確認される。またフィルム４に覆われた商品５Ａが商品窓２Ａ，３Ａから表裏の両がわに突出するので，商品５Ａの外形も表裏の両がわから確認される（図２４，図２５，図２６）。
【００７１】
図２３を参照して，上述したように，フィルム４はその両側部が表枠体２および裏パネル体３の内がわとなる面に糊部ｎ１，ｎ２によって接着されており，両側部以外の箇所でフィルム４は接着されていない。このため，図２５を参照して，商品５Ａを商品窓２Ａ，３Ａから表裏がわそれぞれに突出させると，フィルム４の折り返し部分が商品窓２Ａ，３Ａの向きに移動して商品窓２Ａ，３Ａに押し込まれる。すなわち，商品５Ａを覆う余裕がフィルム４に生じ，これにより商品窓２Ａ，３Ａから両がわにそれぞれ突出する商品５Ａをフィルム４によって充分に覆うことができる。
【００７２】
商品を包装体の表裏の両がわから外方に突出させるタイプの包装体についても，様々な形態が考えられる。
【００７３】
（第１１実施例）
図２７は第１１実施例の包装体１Ｋを示すもので，展開状態の包装体１Ｋの内がわを見たものである。図２８は包装体１Ｋを，商品５Ａを包装している状態で示す斜視図である。第１０実施例の包装体１Ｊ（図２３参照）とは，表枠体２の上端に円形のフック孔12Ａがあけられたほぼ半円形のフック片12がつながっている点，および表枠体２および裏パネル体３にフック孔があけられていない点が異なる。包装体１Ｋによって包装された商品５Ａはフック片12にあけられたフック孔12Ａを用いてフックに掛けられて，店舗等において陳列される。
【００７４】
（第１２実施例）
図２９は第１２実施例の包装体１Ｌを示すもので，展開状態の包装体１Ｌの内がわを見たものである。第１０実施例の包装体１Ｊ（図２３参照）とは，表枠体２および裏パネル体３にあけられた商品窓２Ａ，３Ａの形状が異なる。このように，包装される商品の形状および大きさに応じて，商品窓２Ａ，３Ａの形状および大きさは適宜設計される。
【００７５】
（第１３実施例）
図３０は第１３実施例の包装体１Ｍを示すもので，展開状態の包装体１Ｍの内がわを見たものである。図３１は包装体１Ｍを商品５Ｂを包装している状態で示す斜視図である。第１２実施例の包装体１Ｌ（図２９）とは，表枠体２の下端および裏パネル体３の下端にそれぞれ折り線Ｌ２，Ｌ３を介して折り片２ａ，３ａがつながっている点が異なる。
【００７６】
表枠体２の下端および裏パネル体３の下端に折り線Ｌ２，Ｌ３を介してつながる折り片２ａ，３ａはいずれも内がわに折り返され，表枠体２および裏パネル体３によって挟まされた状態で保持される。折り片２ａ，３ａは，折り返されたときにその先端の辺が商品窓２Ａ，３Ａの下端の位置に沿う大きさ（幅）を持つ。すなわち，商品窓２Ａ，３Ａの下端（下辺）から折り線Ｌ２，Ｌ３までの距離ｔ１と，折り片２ａ，３ａの幅ｔ２が等しい。表裏の両がわに突出して保持される商品５Ｂの底面を，表枠体２および裏パネル体３の商品窓２Ａ，３Ａの下端（枠部）のみならず，折り片２ａ，３ａの先端辺によっても支持することができる。商品５Ｂが比較的大きい重さを持つものであっても，包装体１Ｍが変形してしまうことが抑制される。
【符号の説明】
【００７７】
１Ａ，１Ｂ，１Ｃ，１Ｄ，１Ｅ，１Ｆ，１Ｇ，１Ｈ，１Ｉ，１Ｊ，１Ｋ，１Ｌ，１Ｍ  包装体
２  表枠体
３，７  裏パネル体
２Ａ，３Ａ  商品窓
４  フィルム
５Ａ，５Ｂ，５Ｃ  商品
６，８，９，11  折り片
Ｌ，Ｌ１，Ｌ２，Ｌ３，Ｌ４  折り線
ｎ，Ｎ  糊部
【図１】
0005974550.tif 000002
【図２】
0005974550.tif 000003
【図３】
0005974550.tif 000004
【図４】
0005974550.tif 000005
【図５】
0005974550.tif 000006
【図６】
0005974550.tif 000007
【図７】
0005974550.tif 000008
【図８】
0005974550.tif 000009
【図９】
0005974550.tif 000010
【図１０】
0005974550.tif 000011
【図１１】
0005974550.tif 000012
【図１２】
0005974550.tif 000013
【図１３】
0005974550.tif 000014
【図１４】
0005974550.tif 000015
【図１５】
0005974550.tif 000016
【図１６】
0005974550.tif 000017
【図１７】
0005974550.tif 000018
【図１８】
0005974550.tif 000019
【図１９】
0005974550.tif 000020
【図２０】
0005974550.tif 000021
【図２１】
0005974550.tif 000022
【図２２】
0005974550.tif 000023
【図２３】
0005974550.tif 000024
【図２４】
0005974550.tif 000025
【図２５】
0005974550.tif 000026
【図２６】
0005974550.tif 000027
【図２７】
0005974550.tif 000028
【図２８】
0005974550.tif 000029
【図２９】
0005974550.tif 000030
【図３０】
0005974550.tif 000031
【図３１】
0005974550.tif 000032